(57)【要約】【課題】リム部と胴部とを接合して形成される大便器において、リム部と胴部との接合ずれによるカバーと便器本体との間の隙間の発生を抑制した大便器を提供する。【解決手段】胴部２０は、凹部２８に対向する位置において上下方向に延びるよう一体的に形成されてカバー４０の側端面４６の上端部４７に対向する対向端面２１を有する。【選択図】図３
2018053549.tif 000002
【特許請求の範囲】
【請求項１】
リム部と胴部を接合して形成される大便器において、
ボウル形状の汚物受け面の周囲に形成されたスカート部を有する胴部と、前記胴部の上面に接合されるリム部と、を備えた便器本体と、
前記便器本体の側部後方に形成された凹部と、
前記凹部を覆うカバーであって、前記カバーの内側面と前記カバーの外側面との間をつなぐ側端面を有する前記カバーと、
を備えており、
前記胴部は、前記凹部に対向する位置において上下方向に延びるよう一体的に形成されて前記カバーの側端面の上端部に対向する対向端面を有する大便器。
【請求項２】
前記便器本体の外周面において、前記カバーの側端面の上端部と前記胴部の対向端面の上端部とは、高さ位置が略同一である大便器。
【請求項３】
前記胴部の対向端面には、前記胴部の側面から前記胴部の内側且つ前記凹部の中心側へ向けて延びる傾斜面と、前記傾斜面の内側端から内側へ延びる周形成面と、が形成され、
前記カバーの側端面の外側端から前記傾斜面へ向けて突出する突出部を有する請求項１又は２に記載の大便器。
【請求項４】
前記傾斜面は曲面であり、前記突出部は、前記傾斜面が延びる方向に沿う方向の断面が、前記傾斜面に沿う曲面を形成する請求項３に記載の大便器。
【請求項５】
前記カバーの側端面は、前記カバーの側端面の前記突出部より内側の面にて前記周形成面と当接し、前記突出部は前記傾斜面との間に隙間を形成する請求項３又は４に記載の大便器。
【請求項６】
前記カバーには、前記カバーの外側面から前記カバーの内側且つ前記カバーの中心側とは逆側へ向けて延びる傾斜面と、前記傾斜面の内側端から内側へ延びる周形成面と、が形成され、
前記対向端面の外側端から前記傾斜面へ向けて突出する突出部を有する請求項１又は２に記載の大便器。
【発明の詳細な説明】
【技術分野】
【０００１】
本発明は、便器本体を備えた大便器に関する。
【０００２】
従来から、便器本体を備えた大便器として、便器本体の側部に凹部が形成され、凹部を覆うカバーを備えたものが知られている（例えば特許文献１、２参照）。
この種の大便器において、便器本体が、例えば、陶器製である場合、製造誤差により寸法にばらつきが生じるため、カバーと便器本体との間に隙間を設けておく必要がある。しかし、寸法のばらつきの大きさによってはカバーと便器本体との間の隙間が大きくなり、掃除に手間がかかるとともに、見栄えが悪くなるという懸念がある。この問題を解決するために、便器本体の後方外側を向く傾斜面にカバーの前端部を当接させるように付勢し、便器本体の寸法のばらつきに応じて傾斜面に当接するカバーの前端部の位置を変化して取り付けるものが知られている(例えば、特許文献３参照)。
【先行技術文献】
【特許文献】
【０００３】
【特許文献１】特開２００２−２１３００７号公報
【特許文献２】特開２０１６−０６９９０５号公報
【特許文献３】特開２０１０−１８０６７３号公報
【発明の概要】
【発明が解決しようとする課題】
【０００４】
大便器の製造方法としては、リム部素地と胴部素地を別々に形成し、これらのリム部素地と胴部素地とを接合し、その後、接合されたリム部素地と胴部素地とを乾燥させ、素地焼成させることにより、便器を完成させるようにしているものがある。
【０００５】
このような大便器は、製造工程において別々に形成したリム部素地と胴部素地とを接合する際に接合ずれが生じることで、その接合ずれした分だけカバーと便器本体との間に隙間が生じてしまい、見栄えが悪化してしまう。
【０００６】
また、リム部を成形する際に、金型からリム部素地を引き抜く工程でリム型の後端部は多少傾斜した形状となる。そのため、リム部の後端部とカバーとの間には隙間が生じてしまい、これによっても見栄えが悪化してしまう。
【０００７】
本発明は、上述した課題を解決するためになされたものであり、リム部と胴部とを接合して形成される大便器において、カバーと便器本体との間の隙間の発生を抑制した大便器を提供することを目的とする。
【課題を解決するための手段】
【０００８】
本発明は、リム部と胴部を接合して形成される大便器において、ボウル形状の汚物受け面の周囲に形成されたスカート部を有する胴部と、前記胴部の上面に接合されるリム部と、を備えた便器本体と、前記便器本体の側部後方に形成された凹部と、前記凹部を覆うカバーであって、前記カバーの内側面と前記カバーの外側面との間をつなぐ側端面を有する前記カバーと、を備えており、前記胴部は、前記凹部に対向する位置において上下方向に延びるよう一体的に形成されて前記カバーの上端部に対向する対向端面を有する大便器である。
【０００９】
このように構成された大便器によれば、胴部は、カバーの側端面および凹部に対向する位置において上下方向に延びるよう一体的に形成された対向端面を有するため、胴部とリム部との接合ずれによる対向端面の上下方向のラインずれが発生することがない。したがって、カバーを取り付けたときに、便器本体の外周面におけるカバーの側端面のラインと胴部の対向端面のラインとをしっかりと合わせることができ、カバーと便器本体との間の隙間の発生を抑制することができる。
【００１０】
本発明は、さらに、前記便器本体の外周面において、前記カバーの側端面の上端部と前記胴部の対向端面の上端部とは、高さ位置が略同一であってもよい。
【００１１】
このように構成された大便器によれば、カバーの側端面の上端部と胴部の対向端面の上端部との高さ位置が略同一であるため、大便器のカバー付近における外観が良好となる。
【００１２】
本発明は、さらに、前記胴部の対向端面には、前記胴部の側面から前記胴部の内側且つ前記凹部の中心側へ向けて延びる傾斜面と、前記傾斜面の内側端から内側へ延びる周形成面と、が形成され、前記カバーの側端面の外側端から前記傾斜面へ向けて突出する突出部を有してもよい。
【００１３】
このように構成された大便器によれば、寸法のばらつきがあったとしても、カバーと便器本体との間に生じる隙間を突出部によって小さく見えるようにすることができる。また、カバーを大きく変形させる必要がなく、カバーの破損の発生を抑制することができる。
【００１４】
本発明は、さらに、前記傾斜面は曲面であり、前記突出部は、前記傾斜面が延びる方向に沿う方向の断面が、前記傾斜面に沿う曲面を形成してもよい。
【００１５】
このように構成された大便器によれば、さらに、カバーと便器本体との間に生じる隙間を小さく見えるようにすることができる。
【００１６】
本発明は、さらに、前記カバーの側端面は、前記カバーの側端面の前記突出部より内側の面にて前記周形成面と当接し、前記突出部は前記傾斜面との間に隙間を形成してもよい。
【００１７】
このように構成された大便器によれば、より確実に、カバーと便器本体との間に生じる隙間を目立ちにくくすることができる。
【００１８】
本発明は、さらに、前記カバーには、前記カバーの外側面から前記カバーの内側且つ前記カバーの中心側とは逆側へ向けて延びる傾斜面と、前記傾斜面の内側端から内側へ延びる周形成面と、が形成され、前記対向端面の外側端から前記傾斜面へ向けて突出する突出部を有してもよい。
【００１９】
このように構成された大便器によれば、寸法のばらつきがあっても、カバーと便器本体との間に生じる隙間を突出部によって小さく見えるようにすることができる。また、カバーを大きく変形させる必要がなく、カバーの破損の発生を抑制することができる。
【発明の効果】
【００２０】
本発明によれば、リム部と胴部とを接合して形成される大便器において、カバーと便器本体との間の隙間の発生を抑制することができる。
【図面の簡単な説明】
【００２１】
【図１】本発明の第１実施形態における大便器を示す左側面図である。
【図２】本発明の第１実施形態における大便器のカバー、機能部カバー及び便蓋を外した状態を示す斜視図である。
【図３】本発明の第１実施形態における大便器のリム部、胴部及びカバーの分解概略図である。
【図４】本発明の第１実施形態における大便器のカバーの側端面および胴部の対向端面を示す図１の領域Ａの位置における拡大部分水平断面図である。
【図５】本発明の第２実施形態における大便器のカバーの側端面および胴部の対向端面を示す、第１実施形態の図１の領域Ａと同様位置における拡大部分水平断面図である。
【発明を実施するための形態】
【００２２】
＜第１実施形態、大便器の構成＞
まず、図１〜３を参照して、本発明の第１実施形態における大便器の構成について説明する。図１は、本発明の第１実施形態における大便器を示す左側面図である。図２は、本発明の第１実施形態における大便器のカバー、機能部カバー及び便蓋を外した状態を示す斜視図である。図３は、本発明の第１実施形態における大便器のリム部、胴部及びカバーの分解概略図である。
【００２３】
図１〜３に示すように、本発明の第１実施形態における大便器１０は、床面Ｆに載置される陶器製の大便器であり、便器製造工程時に胴部２０とリム部２４をそれぞれ別体で形成した後に、胴部２０とリム部２４を接合してから乾燥・焼成して便器本体３０が形成される。
【００２４】
胴部２０は、ボウル形状の汚物受け面２２と、この汚物受け面２２の周囲に形成されたスカート部２６と、を有する。さらに、便器本体３０の左右両側の側部後方（スカート部２６の左右両側面の後部）には、便器本体３０の内側へ向けて凹む凹部２８が形成されている。
【００２５】
左側の凹部２８は後側、上側が開放されており、前側、下側は便器本体３０と連続している。なお、右側の凹部２８についても、同様であり、後側、上側が開放されており、前側、下側は便器本体３０と連続している。
【００２６】
また、便器本体３０の後側上部には、機能部６０が設けられている。
機能部６０は、汚物受け面２２を洗浄するために洗浄水を供給する洗浄装置や、使用者の局部を洗浄する局部洗浄装置等を含む。また、機能部６０は、機能部カバー６２により覆われるとともに、その上部には便座（図示せず）及び便蓋６４が回動可能に軸しされている。さらに、機能部６０には下方に向けて突出するフック状の係止部（図示せず）が設けられている。
【００２７】
カバー４０は、凹部２８を覆う樹脂製のカバーであって、カバー４０の内側面４２とカバー４０の外側面４４との間をつなぐ側端面４６を有する。また、胴部２０は、凹部２８に対向する位置において上下方向に延びるよう一体的に形成されてカバー４０の側端面４６の上端部４７に対向する対向端面２１を有する。
カバー４０が凹部２８を覆うように取り付けられた状態において、カバー４０の側端面４６と胴部２０の対向端面２１は対向しており、かつ便器本体３０の外周面において、側端面４６の上端部４７と対向端面２１の上端部２３は高さ位置が水平線Ｈ付近の位置にあり、互いに高さ位置が略同一である。
【００２８】
図１、３に示すように、胴部２０は上面において、前端部から後方側に向けて略水平方向に延びる水平面２０ａと、この水平面２０ａの後端部から上方に向けて後方へ傾斜する傾斜面２０ｂと、を有する。また、リム部２４は下面において、略水平方向に延びる水平面２４ａと、この水平面２４ａの後端部から上方に向けて後方へ傾斜する傾斜面２４ｂと、を有する。
大便器１０の製造工程時に胴部２０とリム部２４とを接合する際は、胴部２０の水平面２０ａとリム部２４の水平面２４ａ、および胴部２０の傾斜面２０ｂとリム部２４の傾斜面２４ｂを接合する。つまり、胴部２０におけるリム２４との接合面は、胴部２０の対向端面２１までは延びておらず、便器本体３０の外周面におけるリム部２４との接合面の終端部２０ｃは、対向端面２１の上端部２３よりも前方かつ胴部２０の上面に位置する。
【００２９】
＜カバーの側端面および胴部の対向端面の構成＞
次に、図４を参照して、本発明の第１実施形態におけるカバーの側端面および胴部の対向端面の構成について説明する。図４は、本発明の第１実施形態における大便器のカバーの側端面および胴部の対向端面を示す図１の領域Ａの位置における拡大部分水平断面図である。なお、以下、左側の凹部２８及び左側のカバー４０について説明するが、右側の凹部及び右側のカバーも同様に構成されている。
【００３０】
図４に示すように、胴部２０の左側の対向端面２１は、胴部２０の左側面（スカート部２６の左側面）から胴部２０の内側（右側）且つ凹部２８の中心側へ向けて延びる傾斜面２１ａと、傾斜面２１ａの内側端から胴部２０の内側（右側）へ延びる周形成面２１ｂと、を有する。傾斜面２１ａは、胴部２０の外側に対して凸である曲面として形成されている。
【００３１】
図４に示すように、左側のカバー４０は、カバー４０の胴部２０の内側（右側）の面である内側面４２と、内側面４２の逆側（左側）の面であるカバー４０の外側面４４と、を有する。また、カバー４０の内側面４２と外側面４４との間をつなぎ、カバー４０が凹部２８を覆うように取り付けられた状態にて、傾斜面２１ａ及び周形成面２１ｂに対向する側端面４６を有する。
【００３２】
左側のカバー４０の内側面４２には、上方に向けて突出するフック状の係止受部（図示せず）が設けられている。この係止受部（図示せず）が、機能部６０の係止部（図示せず）と係合することで、カバー４０は凹部２８を覆うように着脱可能に取り付けられる。なお、本発明においては、カバー４０が凹部２８を覆うように着脱可能に取り付ける方法は機能部６０に設けた係止部（図示せず）に限られるものではなく、例えば、接着テープや面ファスナーを機能部やカバー内側面、胴部等に設けることで互いを係止する構成としてもよい。
【００３３】
また、外側のカバー４０の外側面４４は、スカート部２６の左側面を真っ直ぐ後方へ仮想的に延ばした仮想面と連続するように形成されている。
【００３４】
カバー４０の側端面４６は、側端面４６の外側端（左側端）から傾斜面２１ａへ向けて突出する突出部４６ａを有する。突出部４６ａはカバー４０の側端面４６の上端から下端に亘って設けられ、水平断面において傾斜面２１ａに沿うようにカバー４０の内側に向けて凹む曲面を形成する。
また、カバー４０の側端面４６は、側端面４６の突出部４６ａより内側（右側）の面にて周形成面２１ｂと当接し、突出部４６ａは傾斜面２１ａとの間に隙間を形成する。
【００３５】
＜作用・効果＞
次に、本実施形態における大便器の作用効果を説明する。
【００３６】
上述した本発明の第１実施形態による大便器１０によれば、胴部２０は、凹部２８に対向する位置において上下方向に延びるよう一体的に形成されてカバー４０の側端面４６の上端部４７に対向する対向端面２１を有する。そのため、胴部２０とリム部２４との接合ずれによる対向端面２１の上下方向のラインずれが発生することがない。したがって、カバー４０を取り付けたときに、カバー４０の側端面４６のラインと胴部２０の対向端面２１のラインとをしっかりと合わせることができ、カバー４０と便器本体３０との間の隙間の発生を抑制することができる。
【００３７】
また、上述した本発明の第１実施形態による大便器１０によれば、便器本体３０の外周面において、カバー４０の側端面４６の上端部４７と胴部２０の対向端面２１の上端部２３とは、高さ位置が略同一である。そのため、大便器１０のカバー４０付近における外観が良好となる。
【００３８】
また、上述した本発明の第１実施形態による大便器１０によれば、カバー４０が、カバー４０の内側面４２とカバー４０の外側面４４との間をつなぎ傾斜面２１ａ及び周形成面２１ｂに対向する側端面４６を有し、側端面４６の外側端から傾斜面２１ａへ向けて突出する突出部４６ａを有する。そのため、胴部２０に寸法のバラつきがあったとしても、カバー４０と胴部２０との間に生じる隙間を突出部４６ａによって小さく見えるようにすることができる。また、カバー４０と胴部２０との間に生じる隙間を小さく見えるようにするためにカバー４０を大きく変形させる必要がなく、カバー４０の破損の発生を抑制することができる。
【００３９】
また、上述した本発明の第１実施形態による大便器によれば、傾斜面２１ａは曲面であり、突出部４６ａは、傾斜面２１ａが延びる方向に沿う方向の断面が、傾斜面２１ａに沿う曲面を形成するため、カバー４０と胴部２０との間に生じる隙間をより小さく見えるようにすることができる。
【００４０】
また、上述した本発明の第１実施形態による大便器１０によれば、カバー４０の側端面４６は、側端面４６の突出部４６ａより内側の面にて周形成面２１ｂと当接し、突出部４６ａは傾斜面２８ａとの間に隙間を形成するため、より確実に、カバー４０と胴部２０との間に生じる隙間を目立ちにくくすることができる。
【００４１】
＜第２実施形態＞
次に、本発明の第２実施形態を図５により説明する。図５は本発明の第２実施形態における大便器のカバーの側端面および胴部の対向端面を示す、第１実施形態の図１の領域Ａと同様位置における拡大部分水平断面図である。第２実施形態に関し、上述した第１実施形態と同一部分の説明は省略する。
【００４２】
図５に示すように、左側のカバー２４０には、カバー２４０の外側面（左側面）から内側（右側）且つカバー２４０の中心側とは逆側（前側）へ向けて延びる傾斜面２４０ａと、傾斜面２４０ａの内側端から内側（左側）へ延びる周形成面２４０ｂと、が形成されている。
また、胴部２２０は、胴部２２０の側面から内側（左側）へ延び傾斜面２４０ａ及び周形成面２４０ｂに対向する対向端面２３０を有する。
【００４３】
対向端面２３０は、対向端面２３０の外側端（左側端）から傾斜面２４０ａへ向けて突出する突出部２３０ａを有する。突出部２３０ａは胴部２２０の対向端面２３０の上端から下端に亘って設けられ、水平断面において傾斜面２４０ａに沿うように凹部２２８の内側に向けて凹となる曲面を形成する。
また、対向端面２３０は、カバー２４０が凹部２２８を覆うように取り付けられた状態にて、対向端面２３０の突出部２３０ａより内側の面にて周形成面２４０ｂと当接し、突出部２３０ａは傾斜面２４０ａとの間に隙間を形成する。
【００４４】
上述した本発明の第２実施形態によれば、第１実施形態による大便器１０と同様に、胴部２２０が、カバー２４０の傾斜面２４０ａ及び周形成面２４０ｂに対向する対向端面２３０を有し、対向端面２３０の外側端から傾斜面２４０ａへ向けて突出する突出部２３０ａを有する。そのため、胴部２２０に寸法のばらつきがあったとしても、カバー２４０と胴部２２０との間に生じる隙間を突出部２３０ａによって小さく見えるようにすることができる。また、カバー２４０と胴部２２０との間に生じる隙間を小さく見えるようにするためにカバー２４０を大きく変形させる必要がなく、カバー２４０の破損の発生を抑制することができる。
【００４５】
さらに、上述した本発明の第２実施形態によれば、第１実施形態による大便器１０と同様に、傾斜面２４０ａは曲面であり、突出部２３０ａは、傾斜面２４０ａが延びる方向に沿う方向の断面が、傾斜面２４０ａに沿う曲面を形成するため、カバー２４０と便器本体２２０との間に生じる隙間をより小さく見えるようにすることができる。
【００４６】
また、上述した本発明の第２実施形態によれば、第１実施形態による大便器１０と同様に、対向端面２３０は、対向端面２３０の突出部２３０ａより内側の面にて周形成面２４０ｂと当接し、突出部２３０ａは傾斜面２４０ａとの間に隙間を形成するため、より確実に、カバー２４０と胴部２２０との間に生じる隙間を目立ちにくくすることができる。
【００４７】
以上、本願の開示する技術の実施形態について説明したが、本願の開示する技術は、上記に限定されるものではない。
【００４８】
上述した本発明の第１実施形態及び第２実施形態においては、凹部２８、２２８は、胴部２０、２２０の後方の左右両側の側部に形成されるが、凹部の位置について本発明はこのような形態に限定されるものではなく、例えば、凹部が左右両側のどちらか一方に形成されてもよい。
【００４９】
さらに、上述した本発明の第１実施形態及び第２実施形態においては、傾斜面２１ａ、２４０ａは、外側に対して凸な曲面として形成されているが、本発明はこのような形態に限定されるものではなく、例えば、水平断面において直線状に延びる平坦面として形成してもよい。
【００５０】
また、上述した本発明の第１実施形態及び第２実施形態においては、突出部４６ａ、２３０ａは、曲面として形成されるが、本発明はこのような形態に限定されるものではなく、例えば、水平断面において直線状に延びる平坦面として形成してもよい。
【００５１】
前述した各実施の形態が備える各要素は、技術的に可能な限りにおいて組み合わせることができ、これらを組み合わせたものも本発明の特徴を含む限り本発明の範囲に包含される。
【符号の説明】
【００５２】
１０      大便器
２０      胴部
２０ａ    水平面
２０ｂ    傾斜面
２０ｃ    終端部
２１      対向端面
２１ａ    傾斜面
２１ｂ    周形成面
２２      汚物受け面
２３      上端部
２４      リム部
２４ａ    水平面
２４ｂ    傾斜面
２６      スカート部
２８      凹部
３０      便器本体
４０      カバー
４２      内側面
４４      外側面
４６      側端面
４６ａ    突出部
４７      上端部
６０      機能部
６２      機能部カバー
６４      便蓋
２２０    胴部
２２８    凹部
２３０    対向端面
２３０ａ  突出部
２４０    カバー
２４０ａ  傾斜面
２４０ｂ  周形成面
Ｆ        床面
【図１】
2018053549.tif 000003
【図２】
2018053549.tif 000004
【図３】
2018053549.tif 000005
【図４】
2018053549.tif 000006
【図５】
2018053549.tif 000007